(57)【特許請求の範囲】
【請求項１】
反射型であって体積位相型のホログラム表示体であり、ホログラム面内において微細パターンが非回折領域になっており、仮想的な開口を通してその向こうに前記非回折領域が回折領域と区別して見ることができるように、ホログラム面から空間的に距離をおいて開口が再生可能に記録されていることを特徴とするホログラム表示体。
【請求項２】
前記の仮想的な開口再生位置がホログラム面近傍の面であることを特徴とする請求項１記載のホログラム表示体。
【請求項３】
第１の体積位相型ホログラム感材層の仮想的な開口のパターンに相当するパターン領域を残してそれ以外の領域を感光させて失効させる工程と、
部分的に失効させた前記の第１の体積位相型ホログラム感材層側から光を入射させ、この第１の体積位相型ホログラム感材層を透過して反対側に配置した反射散乱面から反射された散乱光と前記の入射光とを前記の第１の体積位相型ホログラム感材層の未失効なパターン領域中で干渉させて反射ホログラム原版を作成する工程と、
第２の体積位相型ホログラム感材層の微細パターンに相当するパターン領域を感光させて失効させる工程と、
前記反射ホログラム原版に距離をおいて配置した部分的に失効させた前記の第２の体積位相型ホログラム感材層側から光を入射させ、この第２の体積位相型ホログラム感材層を透過して反対側に配置した前記反射ホログラム原版から反射回折された光と前記の入射光とを前記の第２の体積位相型ホログラム感材層の未失効な領域中で干渉させて反射ホログラムを作成する工程とを備えたことを特徴とするホログラム表示体の作成方法。
【請求項４】
第１の体積位相型ホログラム感材層の仮想的な開口のパターンに相当するパターン領域を残してそれ以外の領域を感光させて失効させる工程と、
部分的に失効させた前記の第１の体積位相型ホログラム感材層側から光を入射させ、この第１の体積位相型ホログラム感材層を透過して入射側に微細パターンに相当する吸収性パターンを配置した反射散乱面から反射された散乱光と前記の入射光とを前記の第１の体積位相型ホログラム感材層の未失効なパターン領域中で干渉させて反射ホログラム原版を作成する工程と、
前記反射ホログラム原版に距離をおいて配置した第２の体積位相型ホログラム感材層側から光を入射させ、この第２の体積位相型ホログラム感材層を透過して反対側に配置した前記反射ホログラム原版から反射回折された光と前記の入射光とを前記の第２の体積位相型ホログラム感材層中で干渉させて反射ホログラムを作成する工程とを備えたことを特徴とするホログラム表示体の作成方法。
【発明の詳細な説明】
【０００１】
【発明の属する技術分野】
本発明は、ホログラム表示体及びその作成方法に関し、特に、偽造防止手段等に使用可能なホログラム表示体及びその作成方法に関する。
【０００２】
【従来の技術】
ホログラムは、一般に偽造困難なことから、ＩＤカード、身分証明書、銀行カード、銀行通帳等のカード類、通帳類、その他の物品に貼り付けてそれが真正なものであることを示すことにより、偽造防止を果たすものとして広く用いられている。
【０００３】
このような各種物品の偽造防止手段として用いるホログラムとしては、従来、レインボーホログラム等のレリーフタイプのものが用いられており、リップマンホログラムに代表される体積位相型のホログラムは余り用いられていない。
【０００４】
また、従来、偽造防止手段としてのホログラムに記録される情報も立体パターン、カラーパターン等各種のものが用いられている。
【０００５】
【発明が解決しようとする課題】
本発明は従来技術のこのような現状に鑑みてなされたものであり、その目的は、体積位相型ホログラムを用いてそれに記録されている立体パターンに工夫を施すことにより、真正なものか否かが簡単に見分けられ、また、意匠性に富んだホログラム表示体及びその作成方法を提供することである。
【０００６】
【課題を解決するための手段】
上記目的を達成する本発明のホログラム表示体は、反射型であって体積位相型のホログラム表示体であり、仮想的な開口を通してその向こうに微細パターンを見ることができるように、空間的に距離をおいて開口と微細パターンが再生可能に記録されていることを特徴とするものである。
【０００７】
本発明のもう１つのホログラム表示体は、反射型であって体積位相型のホログラム表示体であり、ホログラム面内において微細パターンが非回折領域になっており、仮想的な開口を通してその向こうに前記非回折領域が回折領域と区別して見ることができるように、ホログラム面から空間的に距離をおいて開口が再生可能に記録されていることを特徴とするものである。
【０００８】
これらにおいて、仮想的な開口再生位置がホログラム面近傍の面であることが望ましい。
【０００９】
本発明のホログラム表示体の作成方法は、第１の体積位相型ホログラム感材層の仮想的な開口のパターンに相当するパターン領域を残してそれ以外の領域を感光させて失効させる工程と、部分的に失効させた前記の第１の体積位相型ホログラム感材層側から光を入射させ、この第１の体積位相型ホログラム感材層を透過して反対側に配置した反射散乱面から反射された散乱光と前記の入射光とを前記の第１の体積位相型ホログラム感材層の未失効なパターン領域中で干渉させて反射ホログラム原版を作成する工程と、第２の体積位相型ホログラム感材層の微細パターンに相当するパターン領域を感光させて失効させる工程と、前記反射ホログラム原版に距離をおいて配置した部分的に失効させた前記の第２の体積位相型ホログラム感材層側から光を入射させ、この第２の体積位相型ホログラム感材層を透過して反対側に配置した前記反射ホログラム原版から反射回折された光と前記の入射光とを前記の第２の体積位相型ホログラム感材層の未失効な領域中で干渉させて反射ホログラムを作成する工程とを備えたことを特徴とする方法である。
【００１０】
本発明のもう１つのホログラム表示体の作成方法は、第１の体積位相型ホログラム感材層の仮想的な開口のパターンに相当するパターン領域を残してそれ以外の領域を感光させて失効させる工程と、部分的に失効させた前記の第１の体積位相型ホログラム感材層側から光を入射させ、この第１の体積位相型ホログラム感材層を透過して入射側に微細パターンに相当する吸収性パターンを配置した反射散乱面から反射された散乱光と前記の入射光とを前記の第１の体積位相型ホログラム感材層の未失効なパターン領域中で干渉させて反射ホログラム原版を作成する工程と、前記反射ホログラム原版に距離をおいて配置した第２の体積位相型ホログラム感材層側から光を入射させ、この第２の体積位相型ホログラム感材層を透過して反対側に配置した前記反射ホログラム原版から反射回折された光と前記の入射光とを前記の第２の体積位相型ホログラム感材層中で干渉させて反射ホログラムを作成する工程とを備えたことを特徴とする方法である。
【００１１】
本発明は、これら作成方法によって作成されたホログラム表示体を含むものである。
【００１２】
本発明においては、仮想的な開口を通してその向こうに微細パターンを見ることができるので、回折光の方向からホログラム表示体を見ると、鍵穴のような小さな仮想的な開口を通してその向こうに地紋のような微細なパターンを見ることができる。その仮想的な開口と微細なパターンとの間に距離が設定されているので、視点を相対的に移動すると、仮想的な開口を通してその向こうに見える微細なパターンは移動変化することになる。このような作用を利用して偽造が困難で真正なものか否かが簡単に見分けられるものである。
【００１３】
【発明の実施の形態】
以下、実施例の説明に基づいて本発明のホログラム表示体及びその作成方法を説明する。
本発明によるホログラム表示体の基本は、鍵穴のような小さな仮想的な開口を通してその向こうに地紋のような微細なパターンを見ることができる表示体であり、この仮想的な開口と微細なパターンとの間に距離が設定されているので、視点を相対的に移動することにより開口を通してその向こうに見える微細なパターンが移動変化するものであり、このような作用を利用して偽造が困難で真正なものか否かが簡単に見分けられるものである。
【００１４】
以下に、本発明のホログラム表示体の作成方法の実施例について説明する。図１、図２は１つの実施例の作成工程を示す図であり、まず、図１（ａ）に示すように、ガラス基板１の表面にフォトポリマー等の体積位相型ホログラム感材層２を塗布したものを用意し、ホログラム感材層２の仮想的な開口のパターンに相当する開口パターン部３を残してそれ以外の領域４にホログラム感材層２を感光させて失効させる紫外線等の光線５を照射して領域４を失効させる。
【００１５】
次いで、図１（ｂ）に示すように、ガラス板６の一面を粗面７とし、その上にアルミニウム等の反射性金属８を蒸着することにより粗面７を反射散乱面とした反射散乱体を用意し、その反射散乱体のガラス板６の反対側の面とガラス基板１の裏面とを密着させ、その状態でホログラム感材層２側から所定の角度で記録光束９を入射させる。光束９は、ホログラム感材層２の領域３、４を透過し、ガラス基板１、ガラス板６を直通して反射散乱面７に達し、そこで反射散乱された光１０とホログラム感材層２の開口パターン部３中で干渉して反射ホログラム３’を形成する。
【００１６】
図１（ｃ）に示すように、このようにして作成された原版１１（ガラス基板１とその表面のホログラム記録部３及び失効部４からなるホログラム感材層２とからなる。）の反射ホログラム３’に、記録のときの光束９と反対方向に進む光１２を原版１１の反対側（裏面側）から入射させると、反射ホログラム３’で反射回折された光１３は、元の反射散乱面７の位置にその反射散乱面７の像７’を結像する作用をする。
【００１７】
そこで、図２（ａ）に示すように、原版１１のホログラム感材層２に対向するガラス基板１の裏面上に別の体積位相型ホログラム感材層１４を塗布し、地紋のような微細なパターンに相当する微細パターン部１５にホログラム感材層１５を感光させて失効させる紫外線等の光線１７を照射して領域１５を失効させる。ホログラム感材層１４の微細パターン部１５以外の領域１６はこの段階で感光性を有している。
【００１８】
次に、図２（ｂ）に示すように、ホログラム感材層１４側から反射ホログラム３’の記録のときの光束９と反対方向に進む光１２を入射させて複製すると、図１（ｃ）を用いて説明したように、反射ホログラム３’で反射回折され、その光１３は、元の反射散乱面７の位置にその反射散乱面７の像７’を結像するように進むが、その光路上にホログラム感材層１４が位置するので、失効された微細パターン部１５以外の感光性領域１６中で入射光１２と干渉して反射ホログラム１６’を形成する。
【００１９】
この記録済みホログラム感材層１４を原版１１から分離して、図２（ｃ）に示すように、表面側（元のホログラム感材層２側）から複製のときの光１２と反対方向に進む光１８を入射させると、ホログラム感材層１４の反射ホログラム１６’で回折光１９を生じる。この光１９はあたかも反射散乱面７の像７’位置から出るように回折される。しかも、この回折光１９は、図２（ｂ）の複製の際の反射ホログラム３’の領域しか通らないので、元の反射ホログラム３’の位置に開口３”が在るのと同じ光路をたどることになり、仮想的な開口パターン３”が存在することになる。そして、ホログラム感材層１４の微細パターン部１５からは回折光が出ないので、回折光１９の方向からホログラム感材層１４を見ると、鍵穴のような小さな仮想的な開口３”を通してその向こうに地紋のような微細なパターン１５を見ることができる。その仮想的な開口３”と微細なパターン１５との間に距離ｄが設定されているので、視点を相対的に移動すると、開口３”を通してその向こうに見える微細なパターン１５は移動変化することになる。なお、反射ホログラム１６’は微細パターン部１５に比較して再生光１８以外の周囲の光をより散乱させ、開口３”を通さない方向からも若干見える恐れがある場合には、記録済みホログラム感材層１４の仮想的な開口３”側とは反対側に黒色吸収層を配置することが望ましい。
【００２０】
次に、本発明のホログラム表示体の作成方法のもう１つの実施例について、図３、図４の作成工程を示す図を参照にして説明する。まず、図３（ａ）に示すように、ガラス基板１の表面にフォトポリマー等の体積位相型ホログラム感材層２を塗布したものを用意し、ホログラム感材層２の仮想的な開口のパターンに相当する開口パターン部３を残してそれ以外の領域４にホログラム感材層２を感光させて失効させる紫外線等の光線５を照射して領域４を失効させる。この工程は、図１（ａ）と同様である。
【００２１】
次に、図３（ｂ）に示すように、ガラス板６の一面を粗面７とし、その上に吸収性の塗料等で地紋のような微細なパターン２０を塗布等して微細な吸収パターンとし、微細パターン２０を介して粗面７全面上にアルミニウム等の反射性金属８を蒸着することにより、吸収性の微細パターン２０部を除いた粗面７を反射散乱面とすることにより、微細パターン付き反射散乱体を用意し、その反射散乱体のガラス板６の反対側の面とガラス基板１の裏面とを密着させ、その状態でホログラム感材層２側から所定の角度で記録光束９を入射させる。光束９は、ホログラム感材層２の領域３、４を透過し、ガラス基板１、ガラス板６を直通して吸収性の微細パターン２０を有する反射散乱面７に達し、そこの反射散乱面で反射散乱された光１０とホログラム感材層２の開口パターン部３中で干渉して反射ホログラム３’を形成する。
【００２２】
図３（ｃ）に示すように、このようにして作成された原版１１（ガラス基板１とその表面のホログラム記録部３及び失効部４からなるホログラム感材層２とからなる。）の反射ホログラム３’に、記録のときの光束９と反対方向に進む光１２を原版１１の反対側（裏面側）から入射させると、反射ホログラム３’で反射回折された光１３は、元の反射散乱面７の位置にその反射散乱面７の像７’を結像する作用をする。ただし、反射散乱面７の像７’は、元の吸収性の微細パターン２０に相当するパターン領域２１には何ら回折光１３は入射せず、抜け領域となっている。
【００２３】
そこで、図４（ａ）に示すように、原版１１のホログラム感材層２に対向するガラス基板１の裏面上に別の体積位相型ホログラム感材層２２を塗布し、このホログラム感材層２２側から反射ホログラム３’の記録のときの光束９と反対方向に進む光１２を入射させて複製すると、図３（ｃ）を用いて説明したように、反射ホログラム３’で反射回折され、その光１３は、元の反射散乱面７の位置にその反射散乱面７の像７’を結像するように進むが、その光路上にホログラム感材層２２が位置するので、入射光１２と干渉して反射ホログラム２２’を形成する。
【００２４】
この記録済みホログラム感材層２２を原版１１から分離して、図４（ｂ）に示すように、表面側（元のホログラム感材層２側）から複製のときの光１２と反対方向に進む光１８を入射させると、ホログラム感材層２２の反射ホログラム２２’で回折光１９を生じる。この光１９はあたかも反射散乱面７の像７’位置から出るように回折される。しかも、この回折光１９は、図４（ａ）の複製の際の反射ホログラム３’の領域しか通らないので、元の反射ホログラム３’の位置に開口３”が在るのと同じ光路をたどることになり、仮想的な開口パターン３”が存在することになる。そして、反射散乱面７の像７’の微細パターン２０に相当するパターン領域２１からは回折光が出ないので、回折光１９の方向からホログラム感材層２２を見ると、鍵穴のような小さな仮想的な開口３”を通してその向こうに地紋のような微細なパターン２１を見ることができる。その仮想的な開口３”と微細なパターン２１との間に距離ｄが設定されているので、視点を相対的に移動すると、開口３”を通してその向こうに見える微細なパターン２１は移動変化することになる。なお、この場合も、記録済みホログラム感材層２２の仮想的な開口３”側とは反対側に黒色吸収層を配置することが望ましい。
【００２５】
なお、以上において、反射散乱面は、粗面上にアルミニウム等の反射性金属を蒸着したものとしたが、その他の反射散乱面、例えば白色塗料塗布面、予め何らかの地紋パターンが腐食されている腐食金属板、アルミ箔を何度も丸めたり広げた反射散乱面等、何れの面でもよい。また、撮影、複製（図１（ｂ）、図２（ｂ）、図３（ｂ）、図４（ａ））の際に感材層（２、１４、２２）上に反射防止膜を設けたガラス板を接触させて光束（９、１２）を効率良くまた迷光なしに入射させるようにすることが望ましい。また、図３（ｂ）における吸収性の微細パターン２０は別の透明フィルムに形成し、ガラス基板１とガラス板６の間に挟持させるようにしてもよい。
【００２６】
さらに、図１（ａ）と同様な方法で、体積位相型ホログラム感材層の微細パターン２０に相当する部分に紫外線等を照射して失効させ、その失効部以外の部分に、図１（ｂ）と同様な配置で反射散乱面７からの散乱光で反射ホログラムを撮影し、その反射ホログラムを図３（ｂ）における吸収性の微細パターン２０付き反射散乱面７の代わりに用いるようにしても略同様の反射ホログラム２２’を得ることができる。
【００２７】
なお、仮想的な開口３”が再生される位置としては、開口３”の大きさにも依存するが、通常、ホログラム感材層１４、２２からの離間距離が５ｃｍ以内、望ましくは５〜６ｍｍ以内のホログラム面近傍の面であることが、開口３”を認識可能にして意匠効果を得る上で好ましい。
【００２８】
以上、本発明のホログラム表示体及びその作成方法を実施例に基づいて説明してきたが、本発明はこれら実施例に限定されず種々の変形が可能である。
【００２９】
【発明の効果】
以上の説明から明らかなように、本発明のホログラム表示体及びその作成方法によると、仮想的な開口を通してその向こうに微細パターンを見ることができるので、回折光の方向からホログラム表示体を見ると、鍵穴のような小さな仮想的な開口を通してその向こうに地紋のような微細なパターンを見ることができる。その仮想的な開口と微細なパターンとの間に距離が設定されているので、視点を相対的に移動すると、仮想的な開口を通してその向こうに見える微細なパターンは移動変化することになる。このような作用を利用して偽造が困難で真正なものか否かが簡単に見分けられるものである。
【図面の簡単な説明】
【図１】本発明の第１実施例のホログラム表示体作成工程の一部を示す図である。
【図２】第１実施例のホログラム表示体作成工程の残りの部分を示す図である。
【図３】本発明の第２実施例のホログラム表示体作成工程の一部を示す図である。
【図４】第２実施例のホログラム表示体作成工程の残りの部分を示す図である。
【符号の説明】
１…ガラス基板
２…体積位相型ホログラム感材層
３…開口パターン部
３’…反射ホログラム
３”…仮想的な開口パターン
４…開口パターン部以外の領域（失効部）
５…紫外線等の光線
６…ガラス板
７…粗面（反射散乱面）
７’…反射散乱面の像
８…反射性金属
９…記録光束
１０…反射散乱された光
１１…原版
１２…複製照明光
１３…反射回折光
１４…体積位相型ホログラム感材層
１５…微細パターン部（失効部）
１６…微細パターン以外の領域
１６’…反射ホログラム
１７…紫外線等の光線
１８…再生照明光
１９…回折光
２０…吸収性の微細なパターン
２１…抜け微細パターン領域
２２…体積位相型ホログラム感材層
２２’…反射ホログラム
【図１】
0003714432.tif 000002
【図２】
0003714432.tif 000003
【図３】
0003714432.tif 000004
【図４】
0003714432.tif 000005